(57)【要約】  ディスク再生装置（１００）が再び電源ＯＮの状態となると不揮発性記憶部（１６０）に格納された再生情報は再生情報読出部（１７０）により読出され、ユーザオペレーション自動実行部（１８０）へと送出される。ユーザの入力命令はユーザオペレーションマスク情報取得部（１３０）で取得されたユーザオペレーションマスク情報に基づき、制限されているか否かが判断される。情報比較部（１８２、１８４）によりプレイリスト情報とプレイアイテム情報の比較が行われ、最終的には、ディスク再生装置（１００）の電源投入前に不揮発性記憶部（１６０）が最後に記憶したプレイリスト情報とプレイアイテム情報を有するタイトルがサーチされて当該タイトルの通常再生が開始される。このような構成により、Ｊａｖａアプリケーションを動作させつつ、電源ＯＦＦ時に再生されていたＢＤ−Ｊタイトルが速やかにリジューム再生される。
2012127787.tif 000002
【特許請求の範囲】
【請求項１】
ディスク再生装置であって、
ディスクに記録されたコンテンツ情報を読み取る信号読取部と、
前記読取りしたコンテンツ情報に基づいてタイトルを再生する再生部と、
前記コンテンツ情報からユーザオペレーションマスク情報を取得するユーザオペレーションマスク情報取得部と、
前記再生部により再生中のタイトルに付与されたプレイリスト情報とプレイアイテム情報とプレイリストの総再生時間情報を再生情報として取得する再生情報取得部と、
前記再生情報を記憶する不揮発性記憶部と、
前記再生情報取得部で読取りした前記再生情報を前記不揮発性記憶部に記憶させる再生情報書込部と、
前記不揮発性記憶部から前記再生情報を読出す再生情報読出部と、
前記ユーザオペレーションマスク情報取得部で取得された前記ユーザオペレーションマスク情報で制限されていないユーザオペレーションを実行するユーザオペレーション自動実行部と、を有し、
前記ユーザオペレーション自動実行部は、
前記ディスク再生装置の電源投入前に前記不揮発性記憶部が最後に記憶した前記プレイリスト情報と前記ディスク再生装置の電源投入後に前記信号読取部により読取られたタイトルのプレイリスト情報を比較するプレイリスト情報比較部と、
前記プレイリスト情報の比較処理後に、前記ディスク再生装置の電源投入前に前記不揮発性記憶部が最後に記憶した前記プレイアイテム情報と前記ディスク再生装置の電源投入後に前記信号読取部により読取られたタイトルのプレイアイテム情報を比較するプレイアイテム情報比較部と、を備え、
前記プレイリスト情報の比較処理と前記プレイアイテム情報の比較処理は、前記ユーザオペレーションマスク情報により実行の制限がされていないユーザオペレーションが一つ以上ある場合に、前記信号読取部が現時点で読取っているタイトルのプレイリスト情報とプレイアイテム情報が前記ディスク再生装置の電源投入前に前記不揮発性記憶部に記憶されたプレイリスト情報とプレイアイテム情報に一致するまで、前記ユーザオペレーションマスク情報により制限されていないユーザオペレーションを自動的に実行し、通常の１倍速よりも早いスピードでタイトルサーチ処理を実現する、
ことを特徴とするディスク再生装置。
【請求項２】
前記ユーザオペレーション自動実行部は、前記プレイリスト情報比較部が実行する第１の比較処理の時間と前記プレイアイテム情報比較部が実行する第２の比較処理の時間をモニタし、前記第１の比較処理の時間および前記第２の比較処理の時間がそれぞれに対して予め定められた一定時間を超えた場合にタイムアウトを検知するタイムアウト検知部を備え、
該タイムアウト検知部は、
前記タイムアウトが検知された前記プレイリスト情報比較部または前記プレイアイテム情報比較部の比較処理を中止し、
前記比較処理中止時点で比較処理対象とされていたプレイリスト情報とプレイアイテム情報が付与されたタイトルを前記再生部に再生させる、
請求項１に記載のディスク再生装置。
【請求項３】
前記タイムアウト検知部は、前記タイムアウトにより前記比較処理を中止した場合に、前記不揮発性記憶部に記憶されている前記再生情報を消去する機能を備えている、
請求項２に記載のディスク再生装置。
【請求項４】
前記ユーザオペレーション自動実行部は、ユーザの入力操作により、前記プレイリスト情報比較部及び前記プレイアイテム情報比較部が実行中の比較処理を強制的に停止する再生情報比較任意停止部を備えている、
請求項１に記載のディスク再生装置。
【請求項５】
前記再生情報比較任意停止部は、前記情報比較処理が前記ユーザの入力操作により中止された場合に、前記不揮発性記憶部に記憶されている前記再生情報を消去する機能を備えている、
請求項４に記載のディスク再生装置。
【請求項６】
前記ユーザオペレーション自動実行部は、前記プレイリスト情報比較部による比較処理または前記プレイアイテム情報比較部による比較処理の実行中に、タイトルサーチ処理中である旨のメッセージを出力する出力部を備えている、
請求項１に記載のディスク再生装置。
【請求項７】
前記ユーザオペレーション自動実行部は、前記ユーザオペレーションマスク情報取得部で取得したユーザオペレーションマスク情報が全てのユーザオペレーションの実行を制限している場合に、タイトルサーチ処理できない旨のメッセージを出力する出力部を備えている、
請求項１に記載のディスク再生装置。
【発明の詳細な説明】
【技術分野】
【０００１】
本発明は、ＢＤ−ＲＯＭ（Ｂｌｕ−ｒａｙ−Ｒｅａｄ−Ｏｎｌｙ−Ｍｅｍｏｒｙ）などの記録媒体に記録されたデータを再生するディスク再生装置に関するものである。
【背景技術】
【０００２】
近年、高画質、高音質で高度なインタラクティブ機能を有し、大容量の情報を記録した光ディスクを再生する光ディスク再生装置が一般家庭にも広く普及している。【０００３】
代表的な大容量の光ディスクには、ブルーレイディスク（ＢＤ：Ｂｌｕ−ｒａｙ  Ｄｉｓｃ、以下「ＢＤ」と言う。）がある。ＢＤは、単層で２５ギガバイト（ＧＢ：Ｇｉｇａ  Ｂｙｔｅ）、２層で５０ＧＢの膨大なデータ容量を備えており、ハイビジョン画質の映画コンテンツを蓄積できる。このＢＤを用いた市販やレンタル用のパッケージソフトは、製造過程でデータが書込まれ、追記や書換えができない読み出し専用メディアであるＢＤ−ＲＯＭにより提供されている。【０００４】
このＢＤ−ＲＯＭは、ＨＤＭＶモードとＢＤ−Ｊモードの二つの仕様が策定されている。ＨＤＭＶモードは、従来のＤＶＤ−ＲＯＭに対して、映像・音声のコーデック仕様が拡張されたもので、高精細映像、高品質オーディオが利用できる。なお、コンテンツ仕様はＤＶＤ−ＲＯＭと同様であり、ＨＤＭＶタイトルの制御方法は従来のＤＶＤ−ＲＯＭのものを拡張させたものであるため、再生中のコンテンツ情報を記憶させることとすれば、ＤＶＤ−ＲＯＭで提供されているレジューム再生機能の提供は容易である。【０００５】
ＢＤ−Ｊモードは、ＨＤＭＶモードに加え、Ｊａｖａ（登録商標）アプリケーションによって、映像を重ね合わせるなどビジュアル的な表現を追加することができる。ＢＤ−Ｊタイトルは、ＢＤ−ＲＯＭ上に書き込まれたＪａｖａプログラムを実行することでメニュー表示や映像再生を制御しており、ＨＤＭＶタイトルに比較して自由度の高い処理が可能となっている。そのため、レジューム再生機能を備えるためには、大容量の情報を記憶させる必要があるが、このような情報記憶の実現は、車載向けとして組込まれるようなシステムでは、実用上は不可能である。【０００６】
ここで、ＢＤ−ＲＯＭをディスク再生装置で再生する際の動作を説明する。【０００７】
パッケージソフトなどＢＤ−ＲＯＭは、再生可能な複数のタイトル毎に管理されている。それらタイトルの中で電源投入後、本編再生やメニュー表示の前に再生されるタイトルが存在する。以降、このタイトルをファーストプレイと呼ぶ。ファーストプレイは、他パッケージソフトの紹介や映画の予告編、または音場再生技術のデモコンテンツなどがある。なお、１倍速で再生する場合、ファーストプレイの再生時間が５分にもなるパッケージも存在する。【０００８】
また、ファーストプレイを含む各タイトルは、ユーザオペレーションマスク（Ｕｓｅｒ  Ｏｐｅｒａｔｉｏｎ  Ｍａｓｋ）により、ユーザオペレーションの実行を制限することができる。ユーザオペレーションマスクとは、メニュー画面のボタン操作、メニュー移動、タイトルスキップ、再生中止、チャプター選択、早送り、逆戻しなど、ユーザがパッケージソフトを視聴する際に使用するユーザオペレーション実行制限のことである。【０００９】
ユーザオペレーションマスクが設定されている場合、ユーザオペレーションが実行されても、それを受け付けるソフトウェアモジュールによりユーザオペレーションの実行に制限をかける。この機能により、コンテンツプロバイダの意図した動作を実現することが可能となる。【００１０】
そこで、家庭用のブルーレイディスク再生装置では、ディスク挿入後できるだけ早く本編映像を再生したい場合、ファーストプレイにユーザオペレーションマスクが設定されていなければ、リモコン操作により、メニュー移動、タイトルスキップや早送りなどのユーザオペレーションを実行し、ファーストプレイ時間を短縮することができる。【００１１】
また、ＢＤ−ＲＯＭ再生装置を自動車内で使用する際、ＣＤ再生装置のようにＧＵＩを介さない操作により、光ディスク等の記録媒体に記録されたデジタルストリームを再生することが提案されている（例えば、特許文献１参照）。【００１２】
しかしながら、ディスク再生装置が自動車内で使用される多くの場合、車両走行中は運転手がディスク再生装置を操作することが禁止されており、リモコンやタッチパネルなどの操作でファーストプレイの再生時間を短縮することができない。【００１３】
特に、ＢＤ−Ｊタイトルでは、エンジンを切った後や電源瞬断発生後に再生を再開するとき、続き再生（リジューム再生）を実施するには大容量のメモリが必要となるなど実用的ではない。そのため、通常これらの現象が発生した場合は、再び、ファーストプレイから再生される。例えば、ドライブ中に休憩のためにエンジンを切り、休憩後に再び電源を入れると毎回同じ内容のファーストプレイが数分間再生され、その後本編映像が再生されることとなる。【００１４】
このような事情から、ファーストプレイを自動的に短縮して再生することで、電源の入り切りが多い環境においてメニュー表示もしくは本編再生へ進む時間を短くすることができる光ディスク装置が提案されている（特許文献２）。
【先行技術文献】
【特許文献】
【００１５】
【特許文献１】特開２００９−１７６４１１号公報
【特許文献２】特願２０１０−５４５１１８の明細書
【特許文献３】特開２０１０−３３６２８号公報
【発明の概要】
【発明が解決しようとする課題】
【００１６】
自動車内で使用されるディスク再生装置では、電源のＯＮ／ＯＦＦが比較的頻繁に行われる。例えば、ＢＤ−Ｊコンテンツを再生しながらのドライブ中の休憩などでエンジンを停止させその後再度エンジンを掛けるといった場面が頻繁に起こる。このような場合、エンジン停止前に再生中のタイトルはその再生が途中で中止されるが、従来の一般的なディスク再生装置では、ユーザは、ディスク投入時と同じように最初から視聴しなければならず、エンジン停止前に再生していたタイトルを速やかにサーチして再生させることができない。【００１７】
尤も、特許文献３に開示されている技術によれば、ＢＤ−ＪモードではなくＨＤＭＶモードに変更してコンテンツを再生することで簡易レジュームを実現することは可能であるが、当該簡易レジュームはＪａｖａプログラムを実行させないことで実現されているものであるため、コンテンツの機能は制限されてしまう。【００１８】
また、特許文献２に開示されているディスク装置によれば、電源投入時に行われるファーストプレイの再生時間は短縮されるが、上述した電源ＯＦＦ前に再生していたタイトルの再生へと進む時間までは短縮されない。【００１９】
本発明は、このような問題に鑑みてなされたもので、その目的とするところは、ＢＤ−Ｊタイトルのコンテンツ再生途中でディスク再生装置の電源がＯＦＦされて当該ＢＤ−Ｊタイトルが再生中止となった場合に、再度電源をＯＮした際に、ＢＤ−Ｊタイトルのコンテンツの機能を制限することなくリジューム再生すること、つまり、Ｊａｖａアプリケーションを動作させつつ、電源ＯＦＦ時に再生されていたＢＤ−Ｊタイトルを速やかにリジューム再生することが可能なディスク再生装置を提供することにある。
【課題を解決するための手段】
【００２０】
上記課題を解決するために、本発明に係るディスク再生装置は、ディスクに記録されたコンテンツ情報を読み取る信号読取部と、前記読取りしたコンテンツ情報に基づいてタイトルを再生する再生部と、前記コンテンツ情報からユーザオペレーションマスク情報を取得するユーザオペレーションマスク情報取得部と、前記再生部により再生中のタイトルに付与されたプレイリスト情報とプレイアイテム情報を再生情報として取得する再生情報取得部と、前記再生情報を記憶する不揮発性記憶部と、前記再生情報取得部で読取りした前記再生情報を前記不揮発性記憶部に記憶させる再生情報書込部と、前記不揮発性記憶部から前記再生情報を読出す再生情報読出部と、前記ユーザオペレーションマスク情報取得部で取得された前記ユーザオペレーションマスク情報で制限されていないユーザオペレーションを実行するユーザオペレーション自動実行部とを有している。【００２１】
そして、前記ユーザオペレーション自動実行部は、前記ディスク再生装置の電源投入前に前記不揮発性記憶部が最後に記憶した前記プレイリスト情報と前記ディスク再生装置の電源投入後に前記信号読取部により読取られたタイトルのプレイリスト情報を比較するプレイリスト情報比較部と、前記プレイリスト情報の比較処理後に、前記ディスク再生装置の電源投入前に前記不揮発性記憶部が最後に記憶した前記プレイアイテム情報と前記ディスク再生装置の電源投入後に前記信号読取部により読取られたタイトルのプレイアイテム情報を比較するプレイアイテム情報比較部とを備えている。【００２２】
このような構成の前記ユーザオペレーション自動実行部は、前記プレイリスト情報の比較処理と前記プレイアイテム情報の比較処理は、前記ユーザオペレーションマスク情報により実行の制限がされていないユーザオペレーションが一つ以上ある場合に、前記信号読取部が現時点で読取っているタイトルのプレイリスト情報とプレイアイテム情報が前記ディスク再生装置の電源投入前に前記不揮発性記憶部に記憶されたプレイリスト情報とプレイアイテム情報に一致するまで、前記ユーザオペレーションマスク情報により実行の制限されていないユーザオペレーションを自動的に実行し、通常の１倍速よりも早いスピードでタイトルサーチ処理を実現する。
【発明の効果】
【００２３】
本発明によれば、ＢＤ−Ｊタイトルのコンテンツ再生途中でディスク再生装置の電源がＯＦＦされて当該ＢＤ−Ｊタイトルが再生中止となった場合に、再度電源をＯＮした際に、ＢＤ−Ｊタイトルのコンテンツの機能を制限することなく速やかにリジューム再生するディスク再生装置の提供が可能となる。【００２４】
本発明のディスク再生装置では、上記リジューム再生はユーザオペレーションマスクの確認の下で実行されるため、コンテンツプロバイダの意思が尊重される。【００２５】
また、Ｊａｖａプログラムが実施しているレジューム再生が動作した場合でも、レジューム再生で開始したプレイリスト情報及びプレイアイテム情報の確認をしているため、誤ってスキップ処理を実施するようなことはなく、Ｊａｖａプログラムのレジューム機能と共存することができる。【００２６】
本発明のディスク再生装置は、続き再生（レジューム再生）機能の実施が実用上難しいＢＤ−Ｊタイトルを、電源の入切が多い車載環境で再生する際に、特に有用である。
【図面の簡単な説明】
【００２７】
【図１】本発明の実施形態に係るディスク再生装置のブロック図
【図２】本発明が備える再生情報取得部による再生情報の取得、および、取得された再生情報の不揮発性記憶部への書込みのフローを説明するための図
【図３】本発明が備える再生情報読取部による不揮発性記憶部からの再生情報の読取り、および、読取られた再生情報に基づくユーザオペレーション自動実行部の処理のフローを説明するための図
【図４】ＢＤ−ＲＯＭに記録されているＡＶコンテンツを構成しているプレイリストおよびプレイアイテムの例を示す図
【発明を実施するための形態】
【００２８】
以下、図面を参照して、本発明を実施するための形態について説明する。
【００２９】
図１は、本実施の形態に係るディスク再生装置１００の構成例を説明するためのブロック図である。このディスク再生装置１００は、信号読取部１１０と、再生部１２０と、ユーザオペレーションマスク情報取得部１３０と、再生情報取得部１４０と、再生情報書込部１５０と、不揮発性記憶部１６０と、再生情報読出部１７０と、ユーザオペレーション自動実行部１８０とを備えている。ユーザオペレーション自動実行部１８０は、プレイリスト情報比較部１８２と、プレイアイテム情報比較部１８４と、タイムアウト検知部１８６と、再生情報比較任意停止部１８８を備えている。
【００３０】
ＢＤ−ＲＯＭ１０は、映画作品やライブ映像などのＡＶコンテンツが記録された記録媒体である。
【００３１】
信号読取部１１０はＢＤ−ＲＯＭ１０に記録されたコンテンツ情報を読み取り、このコンテンツ情報が再生部１２０により、再生可能な状態へと変換されてタイトルが再生される。
【００３２】
信号読取部１１０により読み取られたコンテンツ情報は、ユーザオペレーションマスク情報取得部１３０にも送られる。ユーザオペレーションマスク情報取得部１３０は、このコンテンツ情報から、ユーザオペレーション実行制限情報、すなわちユーザオペレーションマスク情報を取得する。
【００３３】
また、信号読取部１１０により読み取られたコンテンツ情報は、再生情報取得部１４０にも送られる。再生情報取得部１４０は、所定時間毎に、再生部１２０により再生中のタイトルに付与されているプレイリスト情報とプレイアイテム情報とプレイリストの総再生時間情報を取得し、これを再生情報として再生情報書込部１５０へと送出する。再生情報書込部１５０は、再生情報取得部１４０で読取りした再生情報を不揮発性記憶部１６０に記憶させる。
【００３４】
図２は、再生情報取得部１４０による再生情報の取得、および、取得された再生情報の不揮発性記憶部１６０への書込みのフローを説明するための図である。
【００３５】
先ず、信号読取部１１０により、ＢＤ−ＲＯＭ１０に記録されたコンテンツ情報が読み取されて、当該コンテンツ情報に基づき再生部１２０によるタイトル再生が開始されると（Ｓ１０１）、再生情報取得部１４０により、再生部１２０で再生中のタイトルに付与されているプレイリスト情報とプレイアイテム情報と、プレイリストの総再生時間が取得される（Ｓ１０２）。そして、このプレイリスト情報とプレイアイテム情報及びプレイリストの総再生時間は、再生情報書込部１５０により、不揮発性記憶部１６０に保存される（Ｓ１０３）。
【００３６】
再生情報取得部１４０は、次の情報取得の処理実行まで所定時間（例えば１０秒）だけ経過待ちし（Ｓ１０４）、所定時間経過後に再度情報取得を行う。つまり、上記プレイリスト情報およびプレイアイテム情報の取得は所定時間毎に実行され、不揮発性記憶部１６０に保存される再生情報も所定時間毎に更新されることになる。
【００３７】
ユーザがＢＤ−Ｊコンテンツを再生しながらのドライブの途中で休憩を取るなどの事情によりエンジンを停止させた場合には、ディスク再生装置１００も電源ＯＦＦの状態となり、再生中であったタイトルはその途中で中止されることとなるが、この場合、不揮発性記憶部１６０には、エンジン停止前に再生中であったタイトルのプレイリスト情報とプレイアイテム情報及びプレイリストの総再生時間が再生情報として記憶されることになる。
【００３８】
図３は、再生情報読取部１７０による不揮発性記憶部１６０からの再生情報の読取り、および、読取られた再生情報に基づくユーザオペレーション自動実行部１８０の処理のフローを説明するための図である。
【００３９】
また、図４は、ＢＤ−ＲＯＭ１０に記録されているＡＶコンテンツを構成しているプレイリストおよびプレイアイテムの例を示す図である。
【００４０】
ユーザがエンジン停止後に再度エンジンを掛けてディスク再生装置１００が再び電源ＯＮの状態となると（Ｓ２０１）、不揮発性記憶部１６０に格納された再生情報は再生情報読出部１７０により読出しがなされ、ユーザオペレーション自動実行部１８０へと送出される（Ｓ２０２）。
【００４１】
ユーザオペレーション自動実行部１８０では、ユーザオペレーションマスク情報取得部１３０で取得されたユーザオペレーションマスク情報に基づき、ユーザオペレーション実行可能であるか否かが判断される（Ｓ２０３）。ここで、ユーザオペレーションとは、メニュー画面のボタン操作、メニュー移動、タイトルスキップ、ストップ、チャプター選択、早送り、逆戻しなど、ユーザがパッケージソフトを視聴する際に実施できる操作のことである。
【００４２】
ユーザオペレーションの実行が制限されている場合（Ｓ２０３：Ｎｏ）、ユーザオペレーション自動実行部１８０は特別な処理を実行することなく、通常再生が開始されることになる（Ｓ２１１）。つまり、例えば従来の一般的なディスク再生装置と同様に、電源ＯＦＦ前に再生していたタイトルが速やかにサーチされることなく、ディスク投入時と同じように最初から再生が開始される。
【００４３】
ユーザオペレーションの実行が制限されていない場合（Ｓ２０３：Ｙｅｓ）には、ユーザオペレーション自動実行部１８０によるユーザ操作実行処理が開始される（Ｓ２０４）。先ず、プレイリスト情報比較部１８２により、ディスク再生装置１００の電源投入前に不揮発性記憶部１６０が最後に記憶したプレイリスト情報と、ディスク再生装置１００の電源投入後に信号読取部１１０により読取られたタイトルのプレイリスト情報を比較する（Ｓ２０５）。
【００４４】
例えば、図４に示すように、ＢＤ−ＲＯＭ１０にはある映画作品のＡＶコンテンツが記録されており、当該コンテンツは「ＰＬ３」から「ＰＬ１０」までのプレイリストに分割されているとする。ディスク再生装置１００の電源投入前にユーザが視聴していた場面が「ＰＬ７」のプレイアイテム情報である「ＰｌａｙＩｔｅｍ＿ｉｄ４」であり、その再生途中であるプレイリストの総再生時間が０時間５分１２秒で電源をＯＦＦにしたとすると、不揮発性記憶部１６０が最後に記憶したプレイリスト情報は「ＰＬ７」のものであり、プレイアイテム情報は「ＰｌａｙＩｔｅｍ＿ｉｄ４」であり、総再生時間は「０時間５分１２秒」のものであるはずである。
【００４５】
この場合、ディスク再生装置１００の電源投入後に信号読取部１１０により読取られたタイトルのプレイリスト情報が「ＰＬ３」のものであれば、ステップＳ２０５での判断は「Ｎｏ」であるから、ステップＳ２０４に戻り、両プレイリスト情報が一致するまで上記処理を繰り返す。
【００４６】
なお、ここで、図１に示した構成例のように、ユーザオペレーション自動実行部１８０に、プレイリスト情報比較部１８２が実行する比較処理（第１の比較処理）の時間をモニタする機能を持たせるべく、当該第１の比較処理の時間が予め定められた一定時間（例えば３０秒）を超えた場合にタイムアウトを検知するタイムアウト検知部１８６を設けるようにしてもよい。
【００４７】
このような構成とした場合、タイムアウト検知部１８６がタイムアウトを検知すると（Ｓ２０６：Ｙｅｓ）、プレイリスト情報比較部１８２が実行中の比較処理は中止され、当該処理中止時点で信号読取部１１０が読取った最新のタイトルの通常再生が開始されることになる（Ｓ２１１）。
【００４８】
一方、タイムアウト検知部１８６がタイムアウトを検知しなければ（Ｓ２０６：Ｎｏ）、ステップＳ２０４に戻り、ディスク再生装置１００の電源投入前に不揮発性記憶部１６０が最後に記憶したプレイリスト情報と、ディスク再生装置１００の電源投入後に信号読取部１１０により読取られたタイトルのプレイリスト情報が一致するまで上記処理を繰り返す。
【００４９】
ステップＳ２０５で「プレイリスト一致」が判定されると（Ｓ２０５：Ｙｅｓ）、ステップＳ２０７に進み、再度、ユーザオペレーションマスク情報取得部１３０で取得されたユーザオペレーションマスク情報に基づき、ユーザオペレーションが実行可能であるか否かが判断される（Ｓ２０７）。
【００５０】
例えば、プレイリストの選択はユーザオペレーションの実行が制限されていないものの（Ｓ２０３：Ｙｅｓ）、プレイアイテムの選択についてはユーザオペレーションの実行が制限されているような場合には（Ｓ２０７：Ｎｏ）、ユーザオペレーション自動実行部１８０は、ステップＳ２０５でプレイリストの一致が認められたタイトルの通常再生を開始する（Ｓ２１１）。
【００５１】
一方、プレイアイテムの選択についてユーザオペレーションの実行が制限されていない場合には（Ｓ２０７：Ｙｅｓ）、ユーザ操作実行処理が開始され（Ｓ２０８）、プレイアイテム情報比較部１８４により、ディスク再生装置１００の電源投入前に不揮発性記憶部１６０が最後に記憶したプレイリスト情報と、ディスク再生装置１００の電源投入後に信号読取部１１０により読取られたタイトルのプレイアイテム情報の比較が行われる（Ｓ２０９）。
【００５２】
上述の例では、ディスク再生装置１００の電源投入前にユーザが視聴していた場面は「ＰＬ７」の「ＰｌａｙＩｔｅｍ＿ｉｄ４」であり、不揮発性記憶部１６０が最後に記憶したプレイアイテム情報は「ＰｌａｙＩｔｅｍ＿ｉｄ４」のものである。
【００５３】
この場合、信号読取部１１０により読取られたタイトルのプレイアイテム情報が「ＰｌａｙＩｔｅｍ＿ｉｄ１」のものであれば、ステップＳ２０９での判断は「Ｎｏ」であるから、ステップＳ２０８に戻り、両プレイアイテム情報が一致するまで上記処理を繰り返す。
【００５４】
なお、ここで、上述したタイムアウト検知部１８６により、プレイアイテム情報比較部１８４が実行する比較処理（第２の比較処理）の時間をモニタし、当該第２の比較処理の時間が予め定められた一定時間（例えば３０秒）を超えた場合にタイムアウトを検知するようにしてもよい。
【００５５】
このような構成とした場合、タイムアウト検知部１８６がタイムアウトを検知すると（Ｓ２１０：Ｙｅｓ）、プレイアイテム情報比較部１８４が実行中の比較処理は中止され、ユーザオペレーション自動実行部１８０は、ステップＳ２０５でプレイリストの一致が認められたタイトルのうちの、当該処理中止時点で信号読取部１１０が読取った最新のアイテムの通常再生が開始されることになる（Ｓ２１１）。
【００５６】
一方、タイムアウト検知部１８６がタイムアウトを検知しなければ（Ｓ２１０：Ｎｏ）、ステップＳ２０８に戻り、ディスク再生装置１００の電源投入前に不揮発性記憶部１６０が最後に記憶したプレイアイテム情報と、ディスク再生装置１００の電源投入後に信号読取部１１０により読取られたタイトルのプレイアイテム情報が一致するまで上記処理を繰り返し、最終的には、ディスク再生装置１００の電源投入前に不揮発性記憶部１６０が最後に記憶したプレイリスト情報とプレイアイテム情報を有するタイトルの再生時間である「０時間５分１２秒」までサーチされて当該タイトルの通常再生が開始される。
【００５７】
なお、上述のタイムアウトにより第１または第２の比較処理が中止されて通常再生が開始された場合には、最早、不揮発性記憶部１６０に記憶されている再生情報を不揮発性記憶部１６０に記憶させ続ける意味がない。そこで、タイムアウトにより第１または第２の比較処理が中止された場合には、不揮発性記憶部１６０に記憶されている再生情報を消去する機能を、タイムアウト検知部１８６に持たせるようにしてもよい。
【００５８】
また、図１に示した構成例のように、ユーザオペレーション自動実行部１８０に、ユーザの入力操作により、プレイリスト情報比較部１８２及びプレイアイテム情報比較部１８４が実行中の比較処理を強制的に停止可能とする機能を持たせるべく、再生情報比較任意停止部１８８を設けるようにしてもよい。
【００５９】
この場合、プレイリスト情報比較部１８２及びプレイアイテム情報比較部１８４による比較処理が中止されて通常再生が開始されることとなるが、最早、不揮発性記憶部１６０に記憶されている再生情報を不揮発性記憶部１６０に記憶させ続ける意味がない。そこで、プレイリスト情報比較部１８２及びプレイアイテム情報比較部１８４による比較処理がユーザの入力操作により中止された場合には、不揮発性記憶部１６０に記憶されている再生情報を消去する機能を、再生情報比較任意停止部１８８に持たせるようにしてもよい。
【００６０】
なお、ユーザオペレーション自動実行部１８０に、プレイリスト情報比較部１８２による比較処理またはプレイアイテム情報比較部１８４による比較処理の実行中に、タイトルサーチ処理中である旨のメッセージを出力する出力部を備える構成とし、ユーザに当該メッセージを提供するようにしてもよい。
【００６１】
同様に、ユーザオペレーション自動実行部１８０に、ユーザオペレーションマスク情報取得部１３０で取得したユーザオペレーションマスク情報が全てのユーザオペレーションの実行を制限している場合に、タイトルサーチ処理できない旨のメッセージを出力する出力部を備える構成とし、ユーザに当該メッセージを提供するようにしてもよい。
【００６２】
上述したように、本発明のディスク再生装置１００が備えるユーザオペレーション自動実行部１８０は、ユーザオペレーションの実行がユーザオペレーションマスク情報により制限されていないものである場合に、信号読取部１１０が現時点で読取っているタイトルのプレイリスト情報とプレイアイテム情報が、ディスク再生装置１００の電源投入前に不揮発性記憶部１６０に記憶されたプレイリスト情報とプレイアイテム情報に一致するまで、ユーザの入力操作に応じてタイトルサーチ処理を実行する。
【００６３】
なお、このようなタイトルサーチ処理は、ＢＤ−Ｊタイトルのコンテンツ再生途中でディスク再生装置の電源がＯＦＦされて当該ＢＤ−Ｊタイトルが再生中止となった場合に、再度電源をＯＮした際に、ＢＤ−Ｊタイトルのコンテンツの機能を制限することなくリジューム再生することが目的であるから、通常の１倍速よりも早いスピードで実行されることは言うまでもない。
【００６４】
このようなレジューム再生は、ＢＤ−ＪモードをＨＤＭＶモードに変更しての簡易レジュームとは異なり、Ｊａｖａアプリケーションを動作させつつ実行されるものであるから、コンテンツの機能を制限することなく、速やかにリジューム再生することが可能である。
【００６５】
また、上記リジューム再生はユーザオペレーションマスク情報の確認の下で実行されるため、コンテンツプロバイダの意思が尊重される。つまり、すべてのユーザオペレーションの実行が禁止されているときはコンテンツプロバイダがユーザに対して通常の１倍速再生で視聴する事を期待していると考えられるので、本発明が備えるユーザオペレーション自動実行部１８０は特別な処理を行うことなく、コンテンツは１倍速で再生される。
【００６６】
さらに、Ｊａｖａプログラムが実施しているレジューム再生が動作した場合でも、レジューム再生で開始したプレイリスト情報及びプレイアイテム情報の確認をしているため、誤ってスキップ処理を実施するようなことはなく、Ｊａｖａプログラムのレジューム機能と共存することができる。
【産業上の利用可能性】
【００６７】
本発明によれば、ＢＤ−Ｊタイトルのコンテンツ再生途中でディスク再生装置の電源がＯＦＦされて当該ＢＤ−Ｊタイトルが再生中止となった場合に、再度電源をＯＮした際に、ＢＤ−Ｊタイトルのコンテンツの機能を制限することなく速やかにリジューム再生するディスク再生装置の提供が可能となる。
【符号の説明】
【００６８】
１００  ディスク再生装置
１１０  信号読取部
１２０  再生部
１３０  ユーザオペレーションマスク情報取得部
１４０  再生情報取得部
１５０  再生情報書込部
１６０  不揮発性記憶部
１７０  再生情報読出部
１８０  ユーザオペレーション自動実行部
１８２  プレイリスト情報比較部
１８４  プレイアイテム情報比較部
１８６  タイムアウト検知部
１８８  再生情報比較任意停止部
【図１】
2012127787.tif 000003
【図２】
2012127787.tif 000004
【図３】
2012127787.tif 000005
【図４】
2012127787.tif 000006
【国際調査報告】
2012127787.tif 000007
2012127787.tif 000008
2012127787.tif 000009
2012127787.tif 000010